(57)【要約】【課題】医薬品や飲食品等の収容物を適切な温度で管理されていたことを個別に確認することができる保冷箱を提供する。【解決手段】保冷箱１は、収容物８を収容できる収容部２と、収容部２の開口部を覆う蓋部３と、収容部２を保冷する保冷装置４とを備え、収容物８に備えた温度センサー付きＲＦタグ９と、収容部２内に備えたアンテナ部６を介してＲＦタグ９と適宜時間間隔で交信し、ＲＦタグ９のＩＤ情報及びＲＦタグ９の温度センサー９２で感知した温度情報を記憶する制御部５と、を備えたことを特徴とする。【選択図】図１
2019031308.tif 000002
【特許請求の範囲】
【請求項１】
少なくとも１つの収容物を収容できる収容部と該収容部の開口部を覆う蓋部と該収容部を保冷する保冷装置とを備えた保冷箱であって、
該収容物に備えた温度センサー付きＲＦタグと、
該収容部内に備えたアンテナ部を介して該ＲＦタグと適宜時間間隔で交信し、該ＲＦタグのＩＤ情報及び該ＲＦタグの温度センサーで感知した温度情報を記憶する制御部と、
を備えた保冷箱。
【請求項２】
前記蓋部の内面側にアンテナ部を備え、
前記制御部は、前記蓋部に備えたアンテナ部を介して前記ＲＦタグと前記収容物を前記収容部に出し入れするときに交信し、前記ＲＦタグのＩＤ情報を記憶する、請求項１に記載の保冷箱。
【請求項３】
前記蓋部の開閉状態を感知する開閉センサーを備え、
前記制御部は、前記蓋部に備えたアンテナ部と前記ＲＦタグとの交信する時間間隔を前記蓋部が開いた状態のときに前記蓋部が閉じた状態のときよりも短くする、請求項２に記載の保冷箱。
【請求項４】
前記制御部は、少なくとも該収容物の温度情報を外部端末に送信できる送信部を備えた、請求項１〜３のいずれかに記載の保冷箱。
【請求項５】
前記制御部は、上限温度及び制限時間が設定され、前記収容物の温度情報が該上限温度以上であることを検知し、その時間が該制限時間を超えたときに前記外部端末に異常情報を送信して報知する、請求項４に記載の保冷箱。
【請求項６】
前記制御部は、上限温度及び制限時間が設定され、前記収容物の温度情報が該上限温度以上であることを検知し、その時間が該制限時間を超えたときに前記保冷箱に備えた発光部を発光させる、請求項１〜４のいずれかに記載の保冷箱。
【請求項７】
前記制御部は、取出時間が設定され、前記収容物のＩＤ情報が該取出時間を超えて前記収容部内に備えたアンテナ部を介して検出されないときに前記保冷箱に備えた発光部を発光させる、請求項１〜４のいずれかに記載の保冷箱。
【請求項８】
前記制御部を作動させる電力を無線により受電可能な受電部を有する請求項１〜７のいずれかに記載の保冷箱。
【請求項９】
前記アンテナ部はアルミ箔からなり、該アルミ箔は前記収容部を保冷する断熱材を兼ねている請求項１〜８のいずれかに記載の保冷箱。
【請求項１０】
前記保冷箱は、前記制御部と通信できる通信手段を備えた冷蔵庫に収納することができ、該冷蔵庫に収納したときに前記保冷装置を停止させる、請求項１〜９のいずれかに記載の保冷箱。
【請求項１１】
前記ＲＦタグは、電池部と、前記制御部との交信が設定した時間を超えて途絶えた場合、該電池部の電力により適宜時間間隔で測定した温度を記憶できる記憶部と、を備えた請求項１〜１０のいずれかに記載の保冷箱。
【請求項１２】
前記ＲＦタグは、設定した上限温度を超える温度情報を検知したときに発光する発光部を備えた請求項１１に記載の保冷箱。
【請求項１３】
請求項１〜１２のいずれかに記載の保冷箱を用いた保冷箱管理システムであって、
前記保冷箱をベルトコンベア上に流し、流れてきた前記保冷箱に収容された各収容物の温度情報を温度管理装置で受信し、温度情報を照合して設定した上限温度を超えたことがあると判定した場合は、前記温度管理装置が前記保冷箱を仕分けるように制御する保冷箱管理システム。
【請求項１４】
前記温度管理装置で受信した温度情報をクラウドサーバの記憶部に記憶させる請求項１３に記載の保冷箱管理システム。
【発明の詳細な説明】
【技術分野】
【０００１】
本発明は、医薬品、飲食品等の収容物を保冷して収容できる保冷箱に関する。
【背景技術】
【０００２】
医薬品や飲食品は適切に温度管理しておかなければ品質劣化を起こしてしまい廃棄処分しなければならないこともある。
そこで、監視対象食品の経時的な温度変化の履歴を検出して前記履歴に関する検出データを無線で送信可能な履歴計と、前記履歴計から送信された検出データを受信し、その検出データに基づいて前記監視対象食品の状態を監視するデータ処理装置とを備えたことを特徴とし、冷凍食品等の温度変化の履歴をリアルタイムで監視することができ、かつ監視データを正確に送信することが可能な食品監視装置が開発されている（下記特許文献１参照）。
【０００３】
また、配送する複数の荷物の温度を個別に管理する荷物温度管理装置であって、前記荷物毎の温度を検出する温度検出手段と、前記荷物毎の保存温度範囲を示す保存情報を記憶する保存情報記憶手段と、前記保存情報記憶手段が記憶している前記保存情報が示す前記保存温度範囲を、前記温度検出手段が検出した前記温度が逸脱しているか否かを判定する判定手段と、前記判定手段が逸脱していると判定すると、該判定に対応する前記荷物の異常温度を警報するための警報情報を生成する警報情報生成手段と、前記警報情報生成手段が生成した警報情報に基づいて前記警報を行う警報手段と、を備えることを特徴とし、配送する荷物毎の温度を個別に管理することができる荷物温度管理装置が開発されている（下記特許文献２参照）。
【０００４】
さらに、物品ＩＤを記録する識別媒体を付した状態で場所ＩＤがそれぞれ付された複数の場所を経由して搬送される物品の温度を管理する物品温度管理装置であって、前記物品ＩＤごとの搬送履歴を前記場所ＩＤと対応づけた搬送履歴情報を記憶する搬送履歴情報記憶部、および、前記複数の場所の各々における場所温度の時間的な変化を各場所の場所ＩＤと対応づけた場所温度履歴情報を記憶する場所温度履歴情報記憶部とそれぞれ通信可能に接続される通信処理部と、管理対象物品の物品ＩＤである管理対象物品ＩＤの前記搬送履歴情報を、前記通信処理部を介して前記搬送履歴情報記憶部から取得する搬送履歴取得部と、前記搬送履歴取得部が取得した前記搬送履歴情報に含まれる場所ＩＤの場所温度履歴情報を、前記通信処理部を介して前記場所温度履歴情報記憶部から取得する場所温度履歴取得部と、前記場所温度履歴取得部が取得した場所温度履歴情報に基づいて前記管理対象物品の搬送時の温度履歴を与える物品温度履歴情報を作成する物品温度履歴作成部と、を備えたことを特徴とし、簡易な構成で物品の温度履歴情報を取得可能とした物品温度管理装置が開発されている（下記特許文献３参照）。
【０００５】
さらには、温度管理の対象となる物品を収納する収納箱に設けられた温度管理装置であって、前記物品を識別する物品ＩＤを記憶する物品ＩＤ記憶部と、前記収納箱の内部における前記物品の周囲温度を一定周期で温度センサにより検出し、前記周囲温度、前記物品ＩＤおよび計測時間を含む温度データを生成する温度管理部と、前記周囲温度の上限値および下限値を設定温度条件として記憶する設定温度条件記憶部と、前記温度データに含まれる前記周囲温度と前記設定温度条件を比較し、温度異常の有無を判定する温度異常判定部と、前記収納箱の扉開閉動作または前記物品ＩＤに付されたタグの検出結果に基づいて前記物品が前記収納箱から取り出されてからの経過時間を計測する経過時間計測部と、前記経過時間の上限値を設定時間条件として記憶する設定時間条件記憶部と、前記経過時間と前記設定時間条件を比較して時間異常の有無を判定する時間異常判定部と、前記温度異常判定部および前記時間異常判定部における判定結果に応じて前記物品に係る異常発生の有無を示すステータス情報と前記温度データをリアルタイムで表示する表示部と、を備えることを特徴とし、物品の周囲温度および積み替え作業時間を物品単位で管理し、温度変化による物品の品質劣化を防止する温度管理装置が開発されている（下記特許文献４参照）。
【先行技術文献】
【特許文献】
【０００６】
【特許文献１】特開平９−３３０４９２号公報
【特許文献２】特開２００２−２６７３１３号公報
【特許文献３】特開２０１５−２０２９１８号公報
【特許文献４】特開２０１６−２０４０９４号公報
【発明の概要】
【発明が解決しようとする課題】
【０００７】
このように医薬品や飲食品等の品質の安全性を確保するため、温度を適切に管理し、品質劣化が起こる環境下にないかを確認できるような装置等が開発されてきた。
しかし、医薬品のなかでも希少疾病用医薬品（オーファン・ドラッグ）等は、需要が少なく高価でありながら、医療機関などに卸してしまうと、適切に温度管理がなされて保管されていることが担保できなければ返品することは不可になる。そのため、希少疾病用医薬品（オーファン・ドラッグ）等を利用促進させることの障壁になっていた。
希少疾病用医薬品（オーファン・ドラッグ）等は治療の困難な難病に有効な医薬品として社会的な役割は大きく、患者の数にかかわらず利用を促進させるように努めなければならないものである。このような観点から医薬品や飲食品等の温度管理が適切に行われていたことを確認できる手段の必要性が高まっていた。
【０００８】
そこで、本発明の目的は、医薬品や飲食品等の収容物が適切な温度で管理されていたことを個別に確認することができる保冷箱を提供することにあり、さらには、その保冷箱を用いた管理システムをも提供する。
【課題を解決するための手段】
【０００９】
本発明の一実施形態の保冷箱は、収容物を収容できる収容部と該収容部の開口部を覆う蓋部と該収容部を保冷する保冷装置とを備えた保冷箱であって、該収容物に備えた温度センサー付きＲＦタグと、該収容部内に備えたアンテナ部を介して該ＲＦタグと適宜時間間隔で交信し、該ＲＦタグのＩＤ情報及び該ＲＦタグが測定した温度情報を記憶する制御部と、を備えたことを特徴とする。
【００１０】
このようにすることにより、保冷箱に収容した個々の収容物の温度を適宜時間間隔で記録させておくことができるため、個々の収容物が晒された温度履歴を確認することができ、個々の収容物が適切に温度管理なされていたことを担保することができる。
【００１１】
上記形態の保冷箱は、前記蓋部の内面側にアンテナ部を備えた構成とし、前記制御部は、前記蓋部に備えたアンテナ部を介して前記ＲＦタグと前記収容物を前記収容部に出し入れするときに交信し、前記ＲＦタグのＩＤ情報を記憶できるようにすることができ、さらに、前記蓋部の開閉状態を感知する開閉センサーを備えた構成とし、前記制御部は、前記蓋部に備えたアンテナ部から前記ＲＦタグへの交信の時間間隔を前記蓋部が開いた状態のときに前記蓋部が閉じた状態のときよりも短くすることができる。このようにすることにより、個々の収容物が保冷箱に出入りしたことを確認でき、さらに、蓋部を閉じたときは制御部の電力消費を抑えることができる。
【００１２】
上記形態の保冷箱は、前記制御部に、少なくとも該収容物の温度履歴を外部端末に送信できる送信部を備えることができる。このようにすることにより、保冷箱を移動させなくとも、収容物の温度履歴を外部端末から簡単に確認することができ、また、外部端末に温度履歴を保存しておくこともできる。
【００１３】
上記形態の保冷箱は、前記制御部を、上限温度及び制限時間が設定され、前記収容物の温度情報が該上限温度以上であることを検知し、その時間が該制限時間を超えたときに前記外部端末に送信して報知する構成にすることができる。このようにすることにより、外部端末において個々の収容物が異常な状態にあることを認知することができ、個々の収容物の品質劣化をできるだけ防ぐことができる。
【００１４】
上記形態の保冷箱は、前記制御部を、上限温度及び制限時間が設定され、前記収容物の温度情報が該上限温度以上であることを検知し、その時間が該制限時間を超えたときに前記保冷箱に備えた発光部を発光させる構成にすることができる。また、前記制御部を、取出時間が設定され、前記収容物のＩＤ情報が該取出時間を超えて検出されないときに前記保冷箱に備えた発光部を発光させる構成にすることもできる。このようにすることにより、保冷箱の外部から収容物が異常な状態にあることを認知することができ、多くの保冷箱がある場合はどの保冷箱に異常が発生しているのかをすぐに見つけ出すことができる。
【００１５】
上記形態の保冷箱は、前記制御部を作動させる電力を無線により受電可能な受電部を有することができる。このようにすることにより、例えば、保冷箱を収納する箇所に送電部を設けておけば、収納時に電力を受電することができるため、畜電力が喪失することがない。
【００１６】
上記形態の保冷箱は、前記アンテナ部をアルミ箔から形成し、該アルミ箔を、前記収容部を保冷する断熱材を兼ねた構成にすることができる。このようにすることにより、別途アンテナを実装する必要がなく、安価に作製することができる。
【００１７】
上記形態の保冷箱は、前記制御部と通信できる通信手段を備えた冷蔵庫に収納することができ、該冷蔵庫に収納したときに前記保冷装置を停止させる構成にすることができる。このようにすることにより、冷蔵庫に保冷箱を収納した場合は、保冷箱の保冷装置を作動させる必要がないため、自動的に停止させ、保冷装置による電力消費を抑えることができる。
【００１８】
上記形態の保冷箱は、前記ＲＦタグを、電池部と、前記制御部との交信が設定した時間を超えて途絶えた場合、該電池部の電力により適宜時間間隔で測定した温度情報を記憶できる記憶部と、を備えた構成にすることができる。このようにすることにより、電力不足などにより制御部が作動しなくなった場合でも、ＲＦタグが温度履歴を管理することにより、そのような場合でも、収容物が適切に温度管理なされていたことを確認することができる。
【００１９】
上記形態の保冷箱は、前記ＲＦタグを、設定した上限温度を超える温度情報を検知したときに発光する発光部を備えた構成にすることができる。このようにすることにより、多くの収容物がある場合はどの収容物に異常が発生しているのかをすぐに見つけ出すことができる。
【００２０】
上記形態の保冷箱を用いて保冷箱管理システムを構成することができ、例えば、前記保冷箱をベルトコンベア上に流し、流れてきた前記保冷箱に収容された収容物の温度履歴を温度管理装置で受信し、温度履歴において設定した上限温度を超えたことがあると判定した場合は、前記温度管理装置が前記保冷箱を仕分けるように制御する保冷箱管理システムにすることができる。
【００２１】
このようにすることにより、適切な温度で管理された収容物と異常な状態に置かれた状態ことある収容物とに簡単に選別することができる。
【００２２】
上記形態の保冷箱管理システムにおいて、前記温度管理装置で受信した個々の収容物の温度履歴をクラウドサーバの記憶部に記憶させることができる。このようにすることにより、コンピュータ等やモバイル端末等をインターネットなどに接続して、施設の外部から個別の収容物の温度履歴を確認及び管理することができる。
【図面の簡単な説明】
【００２３】
【図１】本発明の一実施形態の保冷箱を示した斜視図である。
【図２】図１の保冷箱において制御部などの構成例を示した図である。
【図３】図１の保冷箱において制御部の記憶部に記憶されたＩＤ情報の一例を示した図である。
【図４】図１の保冷箱において制御部の記憶部に記憶された温度情報及びＩＤ情報の一例を示した図である。
【図５】図１の保冷箱を用いた保冷箱管理システムの一例を示した概略図である。
【発明を実施するための形態】
【００２４】
以下、本発明の一実施形態の保冷箱を説明する。但し、本発明は、この実施形態に限定されるものではない。
【００２５】
本発明の一実施形態の保冷箱１は、図１又は図２に示すように、収容部２と、蓋部３と、保冷装置４と、制御部５と、を備える。
【００２６】
保冷箱１は、例えば発泡ポリスチレンなどの断熱材などからなり、蓋部３を閉じて収容部２内を低温に保つことができるようにしてある。
収容部２は、本実施形態では上部を開口部２１とした矩形箱形としてあり、温度センサー付きＲＦタグ９を備えた収容物８を収容できるようにしてある。収容部２は、少なくとも１つの収容物８を収容することができ、例えば、１０個、２０個、３０個などの収容物８を収容することができる。収容部２の底面側には、アンテナ部６を備えてある。
本実施形態では、アンテナ部６は、収容部２の底面側に設けてあるが、これに限定されるものではなく、収容部２の内面側に設けてあればよく、収容部２の側面に設けてもよい。
【００２７】
収容物８は、特に限定するものではないが、保冷管理する必要があるもの、例えば、医薬品や飲食品等、具体的には、血液、希少疾病用医薬品（オーファン・ドラッグ）、日本酒、ワインなどを挙げることができる。
【００２８】
蓋部３は、開口部２１を密閉して覆うことができるようにしてあり、保冷箱１の背面側でヒンジ状に回転して開閉できるようにしてある。また、蓋部３の内面側には、アンテナ部７が備えてある。アンテナ部７は、ＲＦタグ９と確実に交信できるようにするため、蓋部３は開いた状態で垂直状に静止するのが好ましい。
蓋部３には、開閉センサーを備えることができ、蓋部３の開閉状態を感知して制御部５に通知できるようにすることができる。開閉センサーは従来公知のものでよい。
【００２９】
保冷装置４は、本実施形態では収容部２の側面に設けてあり、例えば、温度センサー、ペルチェ素子などを備え、収容部２内を冷却でき、設定した温度に保つことができるようにしてある。温度の設定などの保冷装置４の操作は、制御部５でできるようにするのが好ましい。
【００３０】
制御部５は、本実施形態では収容部２の前面側に設けてあり、図１又は図２に示すように、操作ボタン５１や情報内容を表示する表示部５２を備え、内部に処理部５３、通信部５４、記憶部５５、発光部５６、電池部５７などを備える。
制御部５は、ＲＦタグ９のリーダライタの機能も備えるものである。
【００３１】
操作ボタン５１は、例えばキーボードやテンキーなどを備え、収容物８の上限温度やその制限時間などを設定することができ、また、保冷装置４の操作などもすることができる。
表示部５２は、例えば液晶などのディスプレイからなり、設定した上限温度、制限時間などを確認でき、また、ＲＦタグ９で感知した温度情報などを確認することができる。
【００３２】
処理部５３は、演算処理するＣＰＵなどを備え、格納したプログラムを実行して情報処理を行うことができる。
通信部５４は、アンテナ部６，７を備え、ＲＦタグ９と交信することができ、また、外部端末５４ａなどと通信することができる。
【００３３】
アンテナ部６は、収容部２に収容した収容物８のＲＦタグ９と交信できるようにしてあり、制御部５からの指令でアンテナ部６を介して適宜時間間隔で電波を発信し、その電波をＲＦタグ９が受信し、ＲＦタグ９がＩＤ情報及び温度情報を制御部５に返信するようにしてある。
【００３４】
アンテナ部７は、収容物８が開口部２１付近を通過する際、つまり、収容物８が収容部２に出入りする際、ＲＦタグ９と交信できるようにしてあり、制御部５からの指令でアンテナ部７を介して適宜時間間隔で電波を発信し、その電波をＲＦタグ９が受信し、ＲＦタグ９が少なくともＩＤ情報を制御部５に返信するようにしてある。
【００３５】
アンテナ部６，７は、アルミ箔から形成するのが好ましく、このようにすることにより断熱材も兼ねることができる。この際、アンテナ部６，７のアルミ箔は周囲と絶縁させておくことが好ましい。ＲＦタグ９とアンテナ部６，７との交信可能距離は、保冷箱１の大きさにもよるが、約５ｃｍ〜５０ｃｍにするのが好ましい。収容物８を収容部２に収容した際、ＲＦタグ９がこの範囲に入る位置にアンテナ部６を設け、また、収容物８を収容部２に出し入れする際、ＲＦタグ９がこの範囲を通過する位置にアンテナ部７を設ける。
【００３６】
外部端末５４ａとしては、例えばパーソナルコンピュータやポータブルフォン（スマートフォン）などを用いることができる。外部端末５４ａに記憶部５５に記憶させたＩＤ情報及び温度情報などを送信することなどができる。外部端末５４ａとの通信は、ブルートゥース（登録商標）などの通信規格で行うのが好ましい。
【００３７】
記憶部５５は、メモリーやＨＤなどからなり、処理部５３を実行するためのプログラムや温度情報、ＩＤ情報などの情報を記憶することができる。
発光部５６は、収容した収容物８の異常を感知した際に発光する発光手段を備え、発光手段を発光させることにより、収容した収容物８に異常が発生したことをお知らせすることができ、保冷箱１の外部から収容物８の異常を察知することができる。発光手段としては、ＬＥＤなどを用いることができる。
【００３８】
電池部５７は、制御部５を駆動させるための電力を供給することができるものであり、充電できるのが好ましく、特に無線により充電できる受電部５７ａを備えることが好ましい。
【００３９】
ＲＦタグ９は、本実施形態では処理部９１、温度センサー９２、記憶部９３、アンテナ部９４、電池部９５、発光部９６などを備える。
ＲＦタグ９としては、パッシブタグ、アクティブタグ、セミアクティブタグなどいずれを用いてもよい。
【００４０】
処理部９１は、ＲＦタグ９を制御するものであり、ＩＣなどを備えてなる。
温度センサー９２は、ＲＦタグ９の周辺温度を感知することができる。感知した温度は、温度情報として制御部５の記憶部５５などに記憶される。
【００４１】
記憶部９３は、温度情報、固有ＩＤなどを記憶することができ、ＲＦタグ９が交信障害などにより制御部５と交信ができない場合に温度情報を記憶するようにすることができる。
【００４２】
アンテナ部９４は、制御部５と交信するために備えてある。ＲＦタグ９は、制御部５からの電波をアンテナ部９４を介して受信して処理部９１へ送り、処理部９１は、制御部５へ温度情報やＩＤ情報などをアンテナ部９４を介して返信することができる。
【００４３】
電池部９５は、ＲＦタグ９を駆動させるための電力を供給するものである。ＲＦタグ９をパッシブタグとした場合は電池部９５を備えなくてもよい。電池部９５は、乾電池などを用いた交換式としてもよいが無線により充電できるようにするのが好ましい。
発光部９６は、ＲＦタグ９が交信障害などにより制御部５と交信ができない場合に発光する発光手段を備え、発光手段を発光させて異常が生じていることを報知することができる。発光手段としては、ＬＥＤなどを用いることができる。
【００４４】
以下、保冷箱１の使用方法の一例を示す。
まず、各収容物８に各ＲＦタグ９を備え付ける。この場合、ＲＦタグ９を直接収容物８に貼り付けてもよく、また、収容物８を箱やケースに入れ、その箱やケースに貼り付けてもよい。ＲＦタグ９は、収容物８に備えてあればよく、紐などで括りつけたり、箱やケースに同封したりしてもよい。
【００４５】
本例ではＲＦタグ９の固有ＩＤをＩＤ情報として用いる。ＩＤ情報は、例えば、外部端末５４ａなどにおいてＲＦタグ９を備え付けた収容物８の商品名と予め紐付けしておくのが好ましい。なお、本実施形態ではＩＤ情報を１６桁の数値からなるものとして説明する。
【００４６】
保冷箱１は、以下のように設定しておく。
制御部５は、アンテナ部６を介して収容部２に収容したＲＦタグ９と適宜時間間隔で交信し、温度センサー９２にて感知した温度情報をＲＦタグ９から返信するように設定しておく。このときＩＤ情報も返信する。この時間間隔は、例えば、１分毎、５分毎、１０分毎、２０分毎などに設定することができる。
また、制御部５は、アンテナ部７を介してＲＦタグ９と適宜時間間隔で交信し、保冷箱１の開口部２１付近を通過した収容物８のＩＤ情報を返信するように設定しておく。この時間間隔は、例えば、０．１秒毎、０．５秒毎、１秒毎、２秒毎などに設定することができる。収容部２内は、５．０℃を保つように設定しておく。
【００４７】
保冷箱１に収容物８を収容するには、保冷箱１の蓋部３を開いて収容部２を開放し、収容物８を収容部２に収容する。収容する際、ＲＦタグ９は、収容部２の開口部２１を通過してアンテナ部７を介して制御部５と交信し、ＩＤ情報を制御部５に返信する。ＩＤ情報は記憶部５５に記憶される。この際の時刻も記憶される。記憶部５５には、例えば、図３に示すようにＩＤ情報が記憶される。
【００４８】
その後、保冷箱１の蓋部３を閉じて収容物８を保管することができる。制御部５は、適宜時間間隔でアンテナ部６を介して電波を発信し、収容部２に収容された個々の収容物８に備え付けた各ＲＦタグ９は、温度センサー９２で感知した温度情報及びＩＤ情報を返信し、アンテナ部６を介して制御部５に受信され、制御部５の記憶部５５に記憶される。この際の時刻も記憶される。記憶部５５には、例えば図４に示すように温度情報及びＩＤ情報が記憶される。なお、図４は１０分毎に温度情報を検知した場合を示し、図中の「-」は温度情報が検知されないことを示す。
【００４９】
制御部５の記憶部５５には、図３又は図４に示すように、ＩＤ情報毎に、保冷箱１の開口部２１付近を通過した時刻、および、温度情報とその温度を計測した時刻が記憶されることになる。この情報を基に表示部５２に温度履歴を表示させ収容物８の保冷箱１内での温度履歴を確認することができる。また、外部端末５４ａから無線などで制御部５と通信し、温度情報を制御部５の通信部５４を介して送信させ、外部端末５４ａにおいて収容物８の温度履歴を確認することもできる。
【００５０】
制御部５は、上限温度及び制限時間を設定しておくこともでき、温度情報と照合し、温度情報が上限温度以上である時間が制限時間を超えた場合は、外部端末５４ａなどに異常情報を送信して報知することができる。この異常情報の送信はE-mailなどで行うことができる。この上限温度は、例えば−１０°、０℃、５℃などと設定することができ、この制限時間は、例えば３分、５分、１０分などと設定することができる。
【００５１】
異常情報の送信に代えて、或いは異常情報の送信とともに、収容物８の温度が上限温度以上である時間が制限時間を超えた場合は、制御部５に設けた発光部５６を発光させることができる。このようにすることにより、保冷箱１の外部からその箱内の収容物８に異常が発生していることを認知することができる。この上限温度は、例えば−１０°、０℃、５℃などと設定することができ、この制限時間は、例えば３分、５分、１０分などと設定することができる。
【００５２】
保冷箱１には、蓋部３の開閉状態を感知する開閉センサーを備えることができ、アンテナ部７を介したＲＦタグ９との交信の時間間隔を蓋部３の開閉状態において変えることができる。例えば、蓋部４を開いた状態の時間間隔を、０．１秒毎、０．５秒毎、１秒毎、２秒毎などに設定し、蓋部３を閉じた状態の時間間隔を、１分毎、５分毎、１０分毎、２０分毎などに設定しておくことにより、開口部２１を通過した収容物８を確実に検知でき、また、蓋部３閉じた状態では制御部５の消費電力を抑えることができる。
【００５３】
保冷箱１に収容した収容物８を取り出す際は、蓋部３を開いて取り出す。この際、ＲＦタグ９は、アンテナ部７を介して制御部５と交信し、ＲＦタグ９のＩＤ情報を返信し、ＩＤ情報が記憶部５５に記憶される。この際の時刻も記憶部５５に記憶される。
【００５４】
制御部５は、取出時間を設定することができ、収容物８に備えたＲＦタグ９の固有ＩＤがＩＤ情報としてアンテナ部７を介して検知され、その後、その固有ＩＤと同じ固有ＩＤがアンテナ部６を介して検知されない時間が、取出時間を超えた場合は、発光部５６を発光させることができる。このようにすることにより、保冷箱１の外部からその箱内の収容しておいた収容物８に異常が発生していることを認知することができる。この取出時間は、例えば３０分、６０分、９０分などと設定することができる。
【００５５】
保冷箱１は、保管場所の近傍に送電部５８を備えることが好ましく、このようにすることにより、保管しながら無線（ワイヤレス）電力伝送により受電部５７ａで電力を受けて電池部５７を充電することができる。
【００５６】
また、保冷箱１の保管場所は、冷蔵庫にしてもよい。この冷蔵庫は、保冷箱１を収納した際、自動的に制御部５と交信し、保冷装置４を停止させるようにすることが好ましい。このようにすることにより、冷蔵庫内では保冷装置４を作動させる必要がないので、保冷装置４による電力消費を抑え、電池部５７の電池の消耗を防ぐことができる。
【００５７】
ＲＦタグ９は、保冷箱１内で無線（ワイヤレス）電力伝送により電力を受けて電池部９５を充電することができるようにすることが好ましい。この際、ＲＦタグ９は、送電部５８から電力を受けることができるようにするのが好ましい。
【００５８】
また、制御部５において電池部５７の電池切れや誤作動などの発生により、ＲＦタグ９と制御部５とが交信不能になった場合に備え、ＲＦタグ９に設定時間を設けておき、その設定時間を超えて制御部５と交信が途絶えた場合は、ＲＦタグ９の記憶部９３に温度センサー９２で感知した温度情報を記憶させるようにすることが好ましい。このようにすることにより、何らかの事情で制御部５と交信ができなくなった場合にも、温度情報を保存することができ、収容物８の温度履歴を確認することができる。この設定時間は、制御部５の操作ボタン５１などを用いて設定することが好ましく、例えば１０分、３０分、６０分などに設定することができる。
【００５９】
ＲＦタグ９は、上限温度を設定することができ、記憶部９３に記憶した温度情報が上限温度を超えた場合は、発光部９６を発光させることができる。このようにすることにより、そのＲＦタグ９を備えた収容物８に異常が発生していることを外部から認知することができる。この上限温度は、制御部５の操作ボタン５１などを用いて設定することが好ましく、例えば−１０°、０℃、５℃などに設定することができ、
【００６０】
このように保冷箱１は、収容物８の温度履歴を記憶部５５に保存して表示部５２や外部端末５４ａにて確認することができ、医薬品や飲食品等の収容物８が適切な温度で管理されていたことを確認することができる。
【００６１】
保冷箱１を用いて以下の保冷箱管理システムを構成することができる。
図５に示すように、収容物８を収容していた保冷箱１をベルトコンベア１００上に流す。ベルトコンベア１００には温度管理装置１０１が設けてあり、温度管理装置１０１は保冷箱１の制御部５と通信することができ、通信部５４を介して記憶部５５に記憶された温度情報を少なくとも受信することができる。
【００６２】
温度管理装置１０１は、ＣＰＵなどからなる制御部を備え、上限温度が設定することができ、受信した温度情報及びＩＤ情報と照合して、上限温度を超えたことがある温度情報を含む収容物８がないか検知することができる。検知された収容物８があった場合は、その収容物８を収容した保冷箱１を仕分ける。仕分けるには、例えば、ベルトコンベア１００を分岐させ、流れる方向を別れさせ、上限温度を超えたことがある保冷箱１とそうではない保冷箱１とに分別し、異常が発生したおそれのある収容物８を選別できる。
このように個別の収容物８の温度情報を照合して管理時に温度に異常がなかったかを確認することができ、適切に管理されていた収容物８と不適切に管理されていたおそれのある収容物８とに選別することができる。
【００６３】
温度管理装置１０１で受信した各保冷箱１の温度情報は、クラウドサーバの記憶部に保存させるのが好ましい。このようにすることにより、コンピュータ等やモバイル端末等をインターネットなどに接続して、施設の外部から個別の収容物８の温度履歴を確認及び管理することができる。
【符号の説明】
【００６４】
１  保冷箱
２  収容部
２１開口部
３  蓋部
４  保冷装置
５  制御部
５１操作ボタン
５２表示部
５３処理部
５４通信部
５５記憶部
５６発光部
５７電池部
５７ａ受電部
５８送電部
６  アンテナ部
７  アンテナ部
８  収容物
９  ＲＦタグ
９１処理部
９２温度センサー
９３記憶部
９４アンテナ部
９５電池部
９６発光部
１００  ベルトコンベア
１０１  温度管理装置
【図１】
2019031308.tif 000003
【図２】
2019031308.tif 000004
【図３】
2019031308.tif 000005
【図４】
2019031308.tif 000006
【図５】
2019031308.tif 000007